(57)【要約】【課題】使用済燃料をキャニスタに装荷し、貯蔵を行う場合、発電所における燃料詰替作業時にプールから引き上げたとき、プール水の侵入によるキャニスタの表面汚染の有無を現場において即座に判断可能な確認技術を提供する。【解決手段】使用済原子燃料を装荷し、貯蔵するキャニスタ２をキャニスタ輸送用キャスク内１に収納してプール内に沈めるにあたり、キャニスタ２外面とキャスク１内面との間に間隙空間を形成し、該間隙空間に純水３を満たして、その上端部に少なくとも２段の水密シール４を中間に水分侵入検知領域９を設けて取り付け、プールから引き上げた後に、上記水分検知領域９における水分の侵入がないことを確認し、その他の部位における水の侵入がないことを確認するキャニスタ外表面の汚染防止方法である。【選択図】      図１
2005091153.tif 000002
【特許請求の範囲】
【請求項１】
使用済原子燃料を装荷し、貯蔵するキャニスタをキャニスタ輸送用キャスク内に収納してプール内に沈めるにあたり、キャニスタ外面とキャスク内面との間に間隙空間を形成し、該間隙空間に純水を満たして、その上端部に少なくとも２段の水密シールを中間に水分侵入検知領域を設けて取り付け、プールから引き上げた後、上記水分検知領域における水分の侵入がないことを確認し、その他の部位における水の侵入がないことを確認することを特徴とするキャニスタ外表面の汚染防止確認方法。
【請求項２】
キャニスタ外面とキャニスタ内面との間の間隙空間上端部の水密シールを覆って水侵入防止用カバーを取り付ける請求項１記載のキャニスタ表面の汚染防止確認方法。
【請求項３】
水分侵入検知領域において、水分流入に伴い変色する塗料を壁面に塗布し、その変色により水分の侵入を確認する請求項１または２記載のキャニスタ外表面の汚染防止確認方法。
【請求項４】
水分侵入領域に純水を入れ、該純水の成分変化により水分の侵入を確認する請求項１
または２記載のキャニスタ外表面の汚染防止確認方法。
【発明の詳細な説明】
【技術分野】
【０００１】
使用済原子燃料（以下、使用済燃料という）をコンクリートキャスクに代表されるキャニスタ（使用済燃料を入れ、蓋を取り付けて内部に不活性ガスを封入した容器）に装荷し、別容器に入れて貯蔵を行う場合、発電所における燃料装荷作業時にプール水中に含まれる放射性物質によりキャニスタ表面が汚染する可能性が生じる。
【０００２】
本発明は上記燃料装荷作業時に別容器にいれたキャニスタをプールから引き上げた時、プール水の侵入によるキャニスタ外表面の汚染の有無を確認する方法に関するものである。
【背景技術】
【０００３】
従来の使用済燃料の貯蔵にはキャニスタを用いずキャスクに直接、使用済燃料を入れる方式と、キャニスタを用いる方式があり、前者のキャニスタを用いない方式では金属キャスクを用いて、燃料装荷時は容器本体を直接、プールに沈め込み、燃料装荷を行った後、気中において水を噴霧し、汚れを落とす除染作業を実施し、洗浄を終えた後、外部に持ち出せる汚染レベルになったことを確認している。
【０００４】
この方式における上記除染作業は、厚い遮蔽体に囲まれたキャスク本体の表面に対して行うため、作業者の被爆が問題になるようなレベルではない。
一方、キャニスタ方式の貯蔵は米国において先行している技術であり、実用化されているプール水の侵入を防止するための概要を図２にもとづいて説明すると、先ず、キャニスタ輸送用キャスク１内部にキャニスタ本体２を設置し（図２イ参照）、次いで除熱を目的としてキャスク１とキャニスタ本体２の間隙部に純水３を満たし、その後、空気を供給して膨らます方式の空気加圧式水密シール４を取り付け、プール水（放射能汚染水）が間隙部に流入することを阻止する。（図２ロ参照）
そして、上記キャニスタ本体２を収納したキャスク１をプールに沈め、使用済燃料５をキャニスタ２に装荷し、キャニスタ一次蓋７を仮置する。（図２ハ参照）
その状態より次にキャスク１をプールから引き上げた後、プール水と接触した部位についてはジェット水供給装置８を用いて除染する（図２ニ参照）が、純水を満たした間隙部においては水密シール４が有効で、プール水の侵入がないと判断できるため、水密シール４より下方の領域における除染作業は実施していない。
【０００５】
また同じくキャニスタ方式の貯蔵について、例えば特許文献１には、放射性物質の漏洩を防止する密閉機能を持った薄肉の鋼製貯蔵容器（キャニスタ）の上端部外面にＯリングを取り付けて、鋼製貯蔵容器を遮蔽用容器（キャスク）内に収納し、Ｏリングを遮蔽用容器の開口部内面に接触させるか、鋼製貯蔵容器の上端部にフランジを設け、フランジにＯリングを取り付けて、鋼製貯蔵容器を遮蔽用容器内に収納し、Ｏリングを遮蔽用容器の上端部に接触させて、Ｏリングよりも内方の鋼製貯蔵容器の外面と遮蔽用容器の内面との間に密閉空間部を形成した後、鋼製貯蔵容器を収納した遮蔽用容器を使用済燃料貯蔵プールに沈めて、密閉空間部により鋼製貯蔵容器の外面を汚染したプールに接触させないようにすることが記載されている。
【特許文献１】特開平１０−１７０６８８号公報
【発明の開示】
【発明が解決しようとする課題】
【０００６】
しかし、上記の各キャニスタ方式においては、金属キャスクと異なり、作業員が除染する環境を維持できるような遮蔽機能は有していない。従って、キャニスタ外表面の汚染の要因となる、プール水の侵入を防止するためのより確実な対策と、侵入がなかったことを確認できる手法が求められる。（キャニスタ内部への侵入は問題にならない。）
【０００７】
本発明は上述の如き実状に鑑み、その要求に応えて、キャニスタを別容器に収納し、プール水がキャニスタに接触しなかったこと、即ち、プール水の侵入によるキャニスタの表面汚染がなかったことを作業後、確認する有効な手段を提供することを目的とするものである。
【課題を解決するための手段】
【０００８】
本発明は上記目的を達成するため、使用済燃料を装荷し、貯蔵するキャニスタをキャニスタ輸送用キャスク内に収納してプール内に沈めるにあたり、キャニスタ外面とキャスク内面との間に間隙空間を形成し、該間隙空間に純水を満たして、その上端部に少なくとも２段の水密シールを中間に水分侵入検知領域を設けて取り付け、プールから引き上げた後、上記水分検知領域における水分の侵入がないことを確認し、その他の部位における水の侵入がないことを確認するキャニスタ外表面の汚染防止確認方法である。
また、プールからの引き上げ後の作業中において水分侵入検知領域に誤って水が侵入することのないよう水侵入防止用のカバーを取り付ける。
【０００９】
水分侵入検知領域への外部からの水の侵入を検知し確認するため、水分が付着すると変色する塗料を水分侵入検知領域の壁面に塗布する。
もしくは、水分侵入検知の方法として、上下のシール間に水をはり、プールから引き上げた後、その水分を分析する。
これはプール水はホウ素や放射性物質を含んでいるため侵入すると水の成分が変化することが予想でき、適した成分を検知することによる。
【００１０】
上記本発明の解決手段によれば、燃料装荷を行い、プールから引き上げて２段の水密シールの上段のシールを外し、水分侵入検知領域において、水分の侵入が認められなければ水密シールが機能し、下段のシールより下方においてはプール水の侵入がないものと判断される。
従って、これにより水の侵入がなかったことが確認され、プール水の侵入を確実に阻止していることが確認される。
【発明の効果】
【００１１】
上述したように本発明の好ましい確認方法は、これをキャニスタの燃料装荷作業に用いることにより、プール水の侵入によるキャニスタの表面汚染の有無が現場において即座に判断が可能となる利点を有すると共に、プール水侵入防止の多重化が実現可能で、防染レベルも一層向上する。
【発明を実施するための最良の形態】
【００１２】
以下、本発明の実施の形態を図１にもとづいて説明する。
図はプール水につける段階での概念を示している。
図において１はキャニスタ輸送用キャスク、２はキャニスタ輸送用キャスク内部に設置されたキャニスタ本体で、両者の間には間隙部が形成されていて、この間隙部に純水３が満たされ、その上端部に空気を供給して膨らます方式の空気加圧式水密シール４が取り付けられてプール水が間隙部に流入するのを阻止していることは図２に示す従前の構成と同様であるが、本発明においては特に上記構成において水密シール４が２つの高さで上下２段に設けられ、両水密シール４の間の領域が水分侵入検知領域９に形成されて外部からのプール水の流入を上段の水密シール４で阻止するようになっている。
勿論、水密シール４は図示の２段に限らず、必要に応じ３段以とすることも差し支えない。
【００１３】
水分侵入検知領域９は、水分の侵入が認められたとき、これを検知し得る領域であり、例えば水分が付着すると色が変化する塗料を壁面に塗布して、その変化により検知する外、上下の水密シール４により囲まれた領域に張られた純水をプールから引き上げた後、その水分を分析し、成分変化を見て検知する手法などが用いられる。
これは、プール水はホウ素や放射性物質を含んでいるため、侵入すると水の成分が変化するのを捉えるものである。
図中、１０は水侵入防止用補助カバーであり、プールからの引き揚げ後の作業中において前記水分侵入検知領域９に誤って水が侵入することを防ぐためにキャスク１とキャニスタ本体２との間隙部上部に上段の水密シール４を含み覆うように取り付けられたものである。
【００１４】
次に上記構成の２段シールに囲まれた水分侵入検知領域によりプール水の侵入状況の検知を行う手法について説明すると、キャニスタを輸送用キャスク内に設置し、除熱を目的として間隙部に純水を満たしてその上部に水密シールを中間に水分侵入検知領域を介在させて多重化してプール内に沈め、燃料装荷を行った後、プールから引き上げて上段の水密シールを外す。
そして、上記水分侵入検知領域において前述した塗料の変色あるいは水成分の変化の捕捉等により水分の侵入が認められなければ、水密シールが機能し、下段のシールより下方においてはプールの侵入はないと判断することができ、キャニスタ外表面の汚染防止を確認することができる。
かくしてプール水の侵入を防止する対策と、侵入がなかったことを確認する手法が確保される。
【図面の簡単な説明】
【００１５】
【図１】本発明に係るプール水の侵入を検知する手法の実施態様を示し、（イ）は全体の概要図、（ロ）はＡ部詳細拡大図である。
【図２】従来のプール水侵入を防止する対策に係る実施態様であり、（イ）はキャニスタをキャスク内に設置する状態、（ロ）は水密シール取付状態、（ハ）はプールに沈め、使用済燃料を装荷する状態、（ニ）は輸送キャスク表面にジェット水を吹き付け除染する状態の各状態を示す。
【符号の説明】
【００１６】
１：キャニスタ輸送用キャスク
２：キャニスタ本体
３：純水
４：空気加圧式水密シール
５：使用済燃料
６：プール水
７：キャニスタ一次蓋
９：水分侵入検知領域
１０：水侵入防止用補助カバー
【図１】
2005091153.tif 000003
【図２】
2005091153.tif 000004